(57)【要約】【課題】  物体側レンズの偏芯調整をずらすことなく、かつ強固に、物体側レンズを保持したレンズ枠をレンズ鏡筒に固着する。【解決手段】  レンズ枠３３は、第１板バネ６８及び第２板バネ６９に前面が挟み込まれることにより、プリズム保持枠３４の前面に仮取付けされる。物体側レンズ２７ａの偏芯調整後、レンズ枠３３の前面側から第１板バネ６８及び第２板バネ６９の挟持部分に接着剤が充填されて仮接着が行なわれる。仮接着後、レンズ枠３３の側面から接着剤が充填されて本接着が行なわれる。仮接着によりレンズ枠３３が固着されているため、本接着時に接着剤を充填するノズルがレンズ枠３３にぶつかっても対物側レンズ２７ａの偏芯調整はずれない。【選択図】        図１０
2006215443.tif 000002
【特許請求の範囲】
【請求項１】
物体側レンズと、この物体側レンズを保持するレンズ枠と、このレンズ枠が前面に取り付けられるレンズ鏡筒とを備えたレンズ装置であって、該レンズ枠をレンズ鏡筒に固着する方法において、
前記レンズ枠をレンズ鏡筒の前面に取り付け、レンズ枠の前面側から該レンズ枠とレンズ鏡筒との間に接着剤を充填することを特徴とするレンズ装置のレンズ枠固着方法。
【請求項２】
物体側レンズと、この物体側レンズを保持するレンズ枠と、このレンズ枠が前面に取り付けられるレンズ鏡筒とを備えたレンズ装置であって、該レンズ枠をレンズ鏡筒に固着する方法において、
前記レンズ枠をレンズ鏡筒の前面に取り付け、レンズ枠の前面側から該レンズ枠とレンズ鏡筒との間に第１の接着剤を充填してレンズ枠を仮接着し、該レンズ鏡筒の外壁に形成された溝からレンズ枠との間に第２の接着剤を充填して本接着することを特徴とするレンズ装置のレンズ枠固着方法。
【請求項３】
前記レンズ枠のレンズ鏡筒への取り付けは、レンズ枠の前面とレンズ鏡筒の背面とを挟み込む少なくとも一つの板バネにより行なわれることを特徴とする請求項１または２記載のレンズ装置のレンズ枠固着方法。
【請求項４】
前記レンズ枠の前面側からの接着剤の充填は、前記板バネによる挟持部分に対して行なわれることを特徴とする請求項３記載のレンズ装置のレンズ枠固着方法。
【請求項５】
前記レンズ装置は、物体側レンズから光が入射される入射面と、この入射された光を反射する反射面と、光を出射する出射面とを備えたプリズムが光路内に組み込まれた屈曲光学系であって、前記レンズ鏡筒はプリズムを保持するプリズム保持枠を備えており、前記レンズ枠は、該プリズム保持枠の前面に取り付けられて、該入射面に物体側レンズを対面されることを特徴とする請求項１ないし４いずれか記載のレンズ装置のレンズ枠固着方法。
【請求項６】
前記溝は、プリズム保持枠の側面に形成されており、前記第２の接着剤は、該プリズム保持枠の溝から充填されることを特徴とする請求項５記載のレンズ装置のレンズ枠固着方法。
【請求項７】
前記第１の接着剤として２液性接着剤を用い、第２の接着剤として紫外線硬化性接着剤を用いることを特徴とする請求項２ないし６いずれか記載のレンズ装置のレンズ枠固着方法。
【請求項８】
請求項１ないし７いずれか記載のレンズ装置と、このレンズ装置からの被写体光を受光して撮影信号を出力するイメージセンサとを備えたことを特徴とする撮像装置。
【請求項９】
請求項１ないし７いずれか記載のレンズ装置を備えたことを特徴とする光学装置。
【発明の詳細な説明】
【技術分野】
【０００１】
本発明は、物体側レンズを保持したレンズ枠をレンズ鏡筒に固着するレンズ装置のレンズ枠固着方法と、このレンズ装置を用いる撮像装置及び光学装置に関する。
【背景技術】
【０００２】
撮影レンズで結像した被写体像をＣＣＤ等の固体撮像素子で撮像し、これによって得た撮像信号をデジタルの画像データに変換してメモリ等に記憶するデジタルカメラが普及している。このデジタルカメラの中には、撮影光路中にプリズムを組み込んで光路を屈曲させた屈曲光学系のレンズ装置を用いたものがある（例えば、特許文献１参照）。この屈曲光学系レンズ装置を用いたデジタルカメラによれば、ズームレンズやフォーカスレンズ等をカメラ前面から突出させることなく移動させることができるため、デジタルカメラの薄型化を図ることができる。
【０００３】
特許文献１記載のレンズ装置では、プリズムの前方に物体側レンズが配置されている。この物体側レンズは、レンズ枠に保持されてレンズ鏡筒に設けられたプリズム保持枠の前面に取り付けられている。レンズ装置の組み立て工程においては、レンズ枠をレンズ鏡筒の前面に仮取付し、物体側レンズをレンズ光軸に直交する方向で移動させてプリズムや固体撮像素子に対する位置の調整、すなわち偏芯調整を行い、その後にレンズ枠をレンズ鏡筒に固着している。
【０００４】
従来の屈曲光学系レンズ装置では、物体側レンズの仮取付けにリング状の板バネが用いられている。このリング状の板バネは、物体側レンズとレンズ枠との間に組み込まれ、物体側レンズの外周部を押圧してプリズム保持枠の前面に物体側レンズを押し付ける。また、レンズ枠のレンズ鏡筒への固着には、レンズ枠の側面側からレンズ枠とレンズ鏡筒の間に接着剤を充填することが行なわれている。
【特許文献１】特開平０９−２１１２８７号公報
【特許文献２】特開平１１−１０２５２５号公報
【発明の開示】
【発明が解決しようとする課題】
【０００５】
しかし、レンズ枠の側面から接着剤を充填しても接着面積が非常に狭く、外力に耐え得る十分な強度を得ることができなかった。また、接着剤の充填を自動機で行なう場合、接着剤のノズルが充填方向に移動するが、この時にノズルがレンズ枠にぶつかって偏芯調整がずれてしまうことがあった。
【０００６】
接着剤を用いずにレンズ枠を固着する方法として、弾性を有する押さえ具によってレンズ枠の外周を挟持する方法が知られている（例えば、特許文献２参照）。しかし、この挟持方法は、物体側レンズのレンズ枠が、光軸方向にある程度の長さを有していないと用いることはできない。また、物体側レンズの周囲に押さえ具の取付スペースが必要となるため、屈曲光学系レンズ装置によるデジタルカメラの薄型化という効果が薄れてしまう。
【０００７】
本発明は上記問題を解決するためになされたもので、レンズ枠の固着時の偏芯調整のずれを防止し、かつレンズ装置を大型化することなくレンズ枠をレンズ鏡筒に強固に固着することを目的としている。
【課題を解決するための手段】
【０００８】
上記課題を解決するために、本発明のレンズ枠の固着方法は、レンズ枠をレンズ鏡筒の前面に取り付け、レンズ枠の前面側から該レンズ枠とレンズ鏡筒との間に接着剤を充填するようにしている。これによれば、接着剤を充填するノズルがレンズ枠の前面にぶつかっても、レンズ枠の背面はレンズ鏡筒に取り付けられているため、レンズ枠が動くことはない。
【０００９】
また、レンズ枠をレンズ鏡筒の前面に取り付け、レンズ枠の前面側から該レンズ枠とレンズ鏡筒との間に第１の接着剤を充填してレンズ枠を仮接着し、該レンズ鏡筒の外壁に形成された溝からレンズ枠との間に第２の接着剤を充填して本接着してもよい。これによれば、仮接着時にノズルがレンズ枠にぶつかってもレンズ枠が動くことはなく、本接着時にノズルがレンズ枠にぶつかっても、仮接着されているためレンズ枠が動くことはない。更に、本接着時には、溝から接着剤を充填することにより、接着剤の充填量及び接着面積が増えるため、レンズ枠をレンズ鏡筒に強固に固着することができる。
【００１０】
レンズ枠のレンズ鏡筒への取り付けは、レンズ枠の前面とレンズ鏡筒の背面とを挟み込む少なくとも一つの板バネにより行なうとよい。これによれば、レンズ枠のレンズ鏡筒への仮取付けを簡単に、また省スペースに行なうことができる。更に、レンズ枠の前面側からの接着剤の充填が、板バネによる挟持部分に対して行なわれることにより、接着剤による接着面積が増えるため接着強度が向上する。
【００１１】
また、レンズ装置が、物体側レンズから光が入射される入射面と、この入射された光を反射する反射面と、光を出射する出射面とを備えたプリズムが光路内に組み込まれた屈曲光学系である場合には、レンズ枠をプリズム保持枠の前面に取り付けるとよい。その際に、溝をプリズム保持枠の側面に形成することで、接着剤の充填が行ないやすくなり、接着剤の充填量が増えるため、接着強度も向上する。
【００１２】
また、第１の接着剤として２液性接着剤を用い、第２の接着剤として紫外線硬化性接着剤を用いるとよい。２液性接着剤の場合には、本剤の充填後に硬化剤を充填しないと接着剤の硬化が開始されないため、本剤の充填時にレンズ枠が動いてしまっても、硬化剤の充填前に偏芯調整やり直すことができる。また、紫外線硬化性接着剤の場合には、接着剤の充填後に紫外線を照射しないと接着剤が硬化しないため、同様に接着剤充填時の偏芯調整のズレを修正することができる。
【００１３】
また、上述したレンズ枠の固着方法を用いたレンズ装置は、撮像装置及び光学装置に用いることができる。これにより、撮像装置や光学装置の小型化及びローコスト化に資することができる。
【発明の効果】
【００１４】
本発明によれば、物体側レンズの偏芯調整をずらすことなく、強固にレンズ枠をレンズ鏡筒に固着することができる。また、レンズ枠の固着によりレンズ装置が大型化することもないため、レンズ装置を用いる撮像装置及び光学装置の小型化にも寄与することができる。
【発明を実施するための最良の形態】
【００１５】
図１及び図２に本発明を実施したデジタルカメラの外観を示す。デジタルカメラ２の前面には、その中央上部にストロボ光を照射するストロボ発光部３が設けられ、その横には撮影開口４が設けられている。撮影開口４からはデジタルカメラ２の内部に配されたレンズ装置５のレンズが露呈される。上面には電源ボタン６とレリーズボタン７とを配している。レリーズボタン７を押圧操作することにより、１フレーム分の静止画の撮影が行われ、この撮影で得られる画像データがデジタルカメラに装着されたメモリカード８（図３参照）に記録される。
【００１６】
図２に示すように、デジタルカメラ２の背面には、ＬＣＤ（液晶ディスプレイ）１０、ズームタイプのレンズ装置５を望遠側、広角側にズーミング（変倍）させるズームボタン１１、デジタルカメラ２の各種操作及び設定を行うカーソルボタン１２を配してある。ＬＣＤ１０に表示されるメニューを見ながらカーソルボタン１２を操作して指示を与えることで、撮影モードと再生モードの切替え、ストロボ発光のオン／オフなどの各種設定を行うことができる。
【００１７】
ＬＣＤ１０は、撮影モード下では、撮影中の被写体像を動画のスルー画像として表示し、ユーザはこのスルー画像を観察することで撮影範囲を知ることができる。また、再生モード下では、メモリカード８に記録されている画像を選択してＬＣＤ１０に表示することができる。
【００１８】
上記デジタルカメラ２の電気的構成を図３に示す。ＣＰＵ１５は、レリーズボタン７，ズームボタン１１，カーソルボタン１２からの操作信号に基づいて、デジタルカメラ２の各部を制御する。ＣＰＵ１５は、ＲＯＭ１５ａ，ＲＡＭ１５ｂを内蔵している。ＲＯＭ１５ａには、撮影シーケンスなど各種シーケンスのプログラムを格納してあり、このプログラムにしたがってＣＰＵ１５は各部を制御する。ＲＡＭ１５ｂは、ＣＰＵ１５が各種シーケンスを制御する際の作業用メモリとして用いられる。
【００１９】
駆動回路１７は、レンズ装置５に組み付けられたズームやピント調節用のモータ、シャッタ装置のアクチュエータ等をＣＰＵ１５の制御下で駆動する。固体撮像素子であるＣＣＤイメージセンサ１８は、その受光面にレンズ装置５を透過した被写体光が入射し、その被写体像をアナログの撮影信号に変換して出力する。この例では、ＣＣＤイメージセンサ１８を用いて撮影を行うが、イメージセンサとしては、これに限らず、例えばＣＭＯＳ型のイメージセンサを用いてもよい。
【００２０】
信号処理部１９は、撮影モード下では、撮影信号に対してノイズ除去、増幅，画像データへの変換処理を行ってから、ホワイトバランス、γ補正を行い、処理済みの画像データを順次にＬＣＤドライバ２１に送る。これにより、撮影中の被写体像がスルー画像としてＬＣＤ１０に表示される。撮影モード下でレリーズボタン７が押圧操作されると、信号処理部１９は、その直後の撮影で得られる１フレーム分の画像データをデータ圧縮した後にインタフェース回路２２を介してメモリカード８に記録する。なお、記録媒体としては、メモリカードに限らず、各種のものを用いることができ、またデジタルカメラ２の内部メモリに画像データを記録してもよい。
【００２１】
再生モード下では、インタフェース回路２２によってメモリカード８から画像データを読み出し、信号処理部１９で各種処理を施してからＬＣＤドライバ２１に送る。これにより、メモリカード８に記録されている画像がＬＣＤ１０に表示される。
【００２２】
信号処理部１９には，画像データに基づいて被写体輝度の検出と、画像データのコントラストの検出とを行う回路を備えており、検出した被写体輝度とコントラストの情報をそれぞれＣＰＵ１５に送る。ＣＰＵ１５は、信号処理部１９からの被写体輝度情報に基づいてシャッタ速度，絞りを制御し、コントラスト情報に基づいてピント調節の制御を行う。
【００２３】
図４にレンズ装置５の外観を、また図５にレンズ装置５の断面を示す。レンズ装置５は、プリズムを用いてレンズ光軸Ｓを屈曲させた屈曲光学系となっている。この屈曲光学系を用いることによって、デジタルカメラ２の厚みを薄くしている。レンズ装置５は、上部ユニット２３と、下部ユニット２４と、上部ユニット２３と下部ユニット２４との間に組み付けられたシャッタユニット２５とからなり、これらはネジ等によって一体化されている。
【００２４】
上部ユニット２３は、上部鏡筒２６と、この上部鏡筒２６に組み付けられた第１レンズ群２７〜第４レンズ群３０，ズームモータ３１、プリズム３６等からなる。上部鏡筒２６と下部ユニット２４の下部鏡筒３２は、ともに遮光性を有するプラスチックで形成されており、レンズ装置５の鏡筒を構成する。
【００２５】
第１レンズ群２７は、１枚のレンズ２７ａから構成される。このレンズ２７ａは、最も物体側に近い位置に配置される物体側レンズであり、後述するようにレンズ枠３３に保持された状態で、上部鏡筒２６の上部に設けられたプリズム保持枠３４の前面に取り付けられ、撮影開口４から外部に露呈される。第１レンズ群２７の背面、この例では物体側レンズ２７ａの背面には、撮影と無関係な光を遮断するための遮光板３５を配してある。なお、第１レンズ群２７を１枚のレンズから構成しているが、複数枚のレンズで構成してもよい。また、第１レンズ群の複数枚のレンズの間に遮光板を配してもよい。
【００２６】
プリズム保持枠３４には、光入射面３６ａと光出射面３６ｂと反射面３６ｃとを有するプリズム３６を組み付けてあり、プリズム３６は、光入射面３６ａが遮光板３５を挟んで物体側レンズ２７ａを臨むように配されている。このプリズム３６は、物体側レンズ２７ａから光入射面３６ａに入射する被写体光を反射面３６ｃで反射して９０度折り曲げて、光出射面３６ｂから出射する。すなわち、このプリズム３６によって、レンズ装置５の光路を９０度屈曲させてある。
【００２７】
第２レンズ群２８は、２枚のレンズ２８ａ，２８ｂからなり、レンズホルダ３７に保持されて、プリズム３６の光出射面３６ｂの直下に固定してある。プリズム３６の光軸後方に配置される後方レンズ群である第３レンズ群２９は、３枚のレンズ２９ａ〜２９ｃから構成してあり、これらがレンズホルダ３８によって保持されている。このレンズホルダ３８は、ズームモータ３１によって、レンズ装置５の光軸に沿って、すなわち上下に移動する。この第３レンズ群２９の移動によって、ズーミングが行われる。第４レンズ群３０は、１枚のレンズ３０ａから構成されている。このレンズ３０ａは、レンズホルダ３９に保持されて上部鏡筒２６の下部に固定されている。
【００２８】
下部ユニット２４は、下部鏡筒３２と、この下部鏡筒３２に組み付けられた第５レンズ群４１，ピント調節用モータ（図示省略）等からなる。第５レンズ群４１は、３枚のレンズ４１ａ〜４１ｃから構成され、各レンズ４１ａ〜４１ｃをレンズホルダ４２で保持している。このレンズホルダ４２は、ピント調節用モータによって、レンズ装置５の光軸に沿って上下に移動する。この第５レンズ群４１の移動によって、ピント調節が行われる。
【００２９】
下部鏡筒３２の下部には、凹状の収納部４５が設けられており、この収納部４５内には固体撮像素子であるＣＣＤイメージセンサ１８が組み込まれ、金属薄板で形成された保持板４６によってその下面が押さえられている。ＣＣＤイメージセンサ１８の受光面１８ａには、上記のように構成される第１〜第５レンズ群２７〜３０，４１によって被写体像が結像される。このＣＣＤイメージセンサ１８と第５レンズ群４１の間には、モアレや擬色の発生を防止するための光学ローパスフィルタ（ＯＬＰＦ）４７が配されている。ＣＣＤイメージセンサ１８とＯＬＰＦ４７との間は、ゴム等の弾性を有する材質で形成されたパッキン４８によって封止されている。
【００３０】
シャッタユニット２５は、上部ユニット２３と下部ユニット２４の間に配されている。シャッタユニット２５には、アクチュエータ５１で駆動されるシャッタ装置５３が内蔵されており、そのシャッタ装置５３の絞り羽根を兼ねたシャッタ羽根が上部鏡筒２６と下部鏡筒３２の間の光路を開閉する。撮影モード下では、ＣＰＵ１５の制御の下でシャッタ装置５３は、被写体輝度に応じた絞りとなるようにシャッタ羽根によって形成される開口径を調節し、レリーズボタン７の押圧操作に応答して静止画撮影を行うと、スメアの発生を防止するために、その直後に光路を閉じてＣＣＤイメージセンサ１８への光の入射を阻止する。
【００３１】
物体側レンズ２７ａ，レンズ枠３３，遮光板３５の上部鏡筒２６への取り付け状態を図６〜図８に示す。物体側レンズ２７ａはレンズ枠３３内に組み込まれ、遮光板３５はレンズ枠３３の背面に取り付けられる。レンズ枠３３は、上側鏡筒２６のプリズム保持枠３４の前面に取り付けられる。
【００３２】
レンズ枠３３は、物体側レンズ２７ａが嵌合される円形の開口３３ａと、この開口３３ａの全周を取り囲むフランジ３３ｂとを備えている。物体側レンズ２７ａは、例えば開口３３ａに後方から挿入され、接着剤によって固着される。レンズ枠３３の四隅であって、開口３３ａの中央を中心とする対角線上には、背面側に突出された一対のピン３３ｃ，３３ｄが設けられている。また別の対角線上には、レンズ枠３３をプリズム保持枠３４に取り付ける際に利用される一対の平面状の被挟持部３３ｅ，３３ｆが設けられている。これらの被挟持部３３ｅ，３３ｆは、フランジ３３ｂに対してレンズ光軸Ｓの後方側に突出するように設けられている。
【００３３】
遮光板３５は、遮光性を有する材質で形成された板状の部材であり、略円形のマスク部５６と、このマスク部５６の周囲に設けた突出片５７ａ〜５７ｄとからなる。マスク部５６は、物体側レンズ２７ａの背面をほぼ覆う程度であってレンズ枠３３の開口３３ａの内径よりも僅かに小さく、その中央に撮影に有効な光束だけを通す略矩形状の開口５６ａを形成している。このマスク部５６により、撮影と無関係な光が物体側レンズ２７ａからプリズム３６に入射することを阻止する。突出片５７ａ〜５７ｄは、開口５６ａの各コーナに対応する位置に設けてあり、開口５６ａの中心を挟むように設けられた一対の突出片５７ａ，５７ｃには、取付孔６０ａ，６０ｂをそれぞれ設けてある。
【００３４】
遮光板３５は、各取付孔６０ａ，６０ｂに対応するピン３３ｃ，３３ｄが挿通されることでレンズ枠３３の背面に組み付けられる。各ピン３３ｃ，３３ｄの外径は、取付孔６０ａ，６０ｂの内径と同じにしてあり、ピン３３ｃ，３３ｄを取付孔６０ａ，６０ｂに嵌め込むことによって、レンズ枠３３の中心、すなわちこれに保持された物体側レンズ２７ａの中心と、開口５６ａの中心とが一致するように、遮光板３５が位置決めされる。遮光板３５は、各取付孔６０ａ，６０ｂの位置に接着剤を滴下することでレンズ枠３３に固定される。
【００３５】
プリズム保持枠３４の前面は、プリズム３６の光入射面３６ａを露呈させる開口６３が設けられ、その周囲がレンズ枠３３の取付面６４となっている。取付面６４は、プリズム３６の光入射面３６ａよりも物体側の光軸と垂直な平面となっている。この取付面６４にレンズ枠３３の各ピン３３ｃ，３３ｄが入り込む凹部６５ａ，６５ｂと、被挟持部３３ｅ，３３ｆが挿入される凹部６５ｃ，６５ｄが設けられている。また、プリズム保持枠３４の両側面には、取付面６４まで達する筋状の切欠６５ｅ，６５ｆが形成されている。これらの切欠６５ｅ，６５ｆは、レンズ枠３３をプリズム保持枠３４に固着する際に、接着剤の充填に利用される。
【００３６】
レンズ枠３３は、各ピン３３ｃ，３３ｄを凹部６５ａ，６５ｂに挿入し、突出片５７ａ〜５７ｄを取付面６４とレンズ枠３３のフランジ３３ｂとの間に挟み込んだ状態でプリズム保持枠３４の前面に組み付けられる。各凹部６５ａ，６５ｂの内径は、ピン３３ｃ，３３ｄの径よりも大きくされているため、物体側レンズ２４ａの偏芯調整の際には、レンズ枠３３を取付面６５に沿って移動させることができる。
【００３７】
物体側レンズ２７ａと遮光板３５とを保持したレンズ枠３３は、断面が略コ字形状となるように屈曲された第１板バネ６８，第２板バネ６９によってプリズム保持枠３４に仮取付けされる。図７のＡ−Ａ断面を表す図９に示すように、第１板バネ６８，第２板バネ６９は、略長方形の金属薄板の両端を直角に屈曲させたもので、レンズ枠３３の被挟持部３３ｅ，３３ｆと、プリズム保持枠３４の背面を両端で弾性をもって挟み込むことにより、レンズ枠３３をプリズム保持枠３４に仮取付けする。このように、レンズ枠３３を簡単にプリズム保持枠３４の仮取付けすることができるため、レンズ装置５の組立工数の削減にも資することができる。
【００３８】
第１板バネ６８の先端側には、被挟持部３３ｅに当接してプリズム保持枠３４に押し付ける弾性片６８ａと、プリズム保持枠３４の前面に形成された係止片７２に係合する係合爪６８ｂとが設けられている。また、第１板バネ６８の後端部６８ｃには、プリズム保持枠３４の背面に設けられた係止ピン７３が挿入される係止穴６８ｄが形成されている。なお、第２板バネ６９は、第１板バネ６８と同構成とされているため、詳しい説明は省略する。これにより、不用意な振動や衝撃等によって、第１板バネ６８及び第２板バネ６９がプリズム保持枠３４から外れてしまうことはないため、レンズ枠３３の仮取付に対する信頼性が向上する。
【００３９】
上記第１板バネ６８は、プリズム保持枠３４の側面上部に配置されてレンズ枠３３とプリズム保持枠３４とを挟み込む。また、第２板バネ６９は、上部鏡筒２６において第３レンズ群２９が組み込まれている部分の側面近傍（図５に２点鎖線で示す範囲Ｗ内）に配置されて、レンズ枠３３とプリズム保持枠３４とを挟み込む。これら板バネ６８，６９の組込位置は、レンズ装置５に他の部品が取り付けられないデッドスペースであるため、空いているスペースを有効に利用し、かつレンズ装置５の大型化を防止することができる。
【００４０】
レンズ枠３３は、物体側レンズ２７ａの偏芯調整後に、自動機によってプリズム保持枠３４に接着剤により固着される。このレンズ枠３３の接着は、レンズ枠３３をプリズム保持枠３４に一時的に固着する仮接着と、レンズ枠３３とプリズム保持枠３４とを強固に固着する本接着とからなる。
【００４１】
図８〜１０に示すように、仮接着では、レンズ枠３３の前面側からレンズ枠３３の被挟持部３３ｅ，３３ｆとプリズム保持枠３４との間に仮接着用接着剤８０が流し込まれる。また、本接着では、図７のＢ−Ｂ断面を表す図１１に示すように、レンズ枠３３の側面に設けられた切欠６５ｅ，６５ｆを利用して、レンズ枠３３のフランジ３３ｂとプリズム保持枠３４との間に本接着用接着剤８２が流し込まれる。
【００４２】
自動機による接着剤の充填作業では、接着剤を充填するノズルが充填位置に移動する際にレンズ枠３３に当接することがある。このときに、偏芯調整の済んだレンズ枠３３が動き、偏芯調整が狂ってしまう。そのため、本実施形態では、ノズルがあたっても影響の少ないレンズ枠３３の前面側から接着剤８０を充填して仮接着を行い、その後に強固な接着を得るために、レンズ枠３３の側面に本接着を行なうようにしている。これにより、本接着時にノズルがレンズ枠３３にぶつかっても、レンズ枠３３が動いて偏芯調整が狂うことはない。
【００４３】
上記仮接着用接着剤８０と本接着用接着剤８２には、例えば、２液タイプの接着剤とＵＶ接着剤とが使用される。２液タイプの接着剤は、硬化剤が充填されなければ接着が開始されず、ＵＶ接着剤は紫外線が照射されなければ接着が開始されない。そのため、接着剤の充填中にレンズ枠３３の位置がずれてしまった場合でも、接着剤の硬化を開始させる前に再度偏芯調整を行なうことができるため、接着ミスによる製品不良を減らすことができる。
【００４４】
次に、上記構成の作用について説明する。物体側レンズ２７ａがレンズ枠３３の背後より開口３３ａに挿入され、この後に物体側レンズ２７ａとレンズ枠３３とが接着固定される。続いて、レンズ枠３３の背面側に設けたピン３３ｃ，３３ｄを遮光板３５の各取付孔６０ａ，６０ｂに挿通して、遮光板３５をレンズ枠３３の背面に取り付ける。これにより、レンズ枠３３，物体側レンズ２７ａの各中心と、遮光板３５の開口５６ａの中心が一致するように遮光板３５が組み付けられる。この後に、ピン３３ｃ，３３ｄと取付孔６０ａ，６０ｂの部分に接着剤が滴下されて、遮光板３５がレンズ枠３３に固定される。
【００４５】
上記のように物体側レンズ２７ａと遮光板３５とが組み付けられたレンズ枠３３は、プリズム３６やその他レンズ等の各種部品が組み付けられた上部ユニット２３に取り付けられる。この取り付けの際には、レンズ枠３３のピン３３ｃ，３３ｄが取付面６４に設けた各凹部６５ａ，６５ｂに挿入される。これにより、遮光板３５の各突出片５７ａ〜５７ｄが取付面６４とレンズ枠３３のフランジ３３ｂとにそれぞれ密着した状態で、レンズ枠３３が組み付けられる。レンズ枠３３を組み付けた後には、第１板バネ６８，第２板バネ６９がレンズ枠３３の各被挟持部３３ｅ，３３ｆとプリズム保持枠３４の背面とにかけられ、レンズ枠３３が仮取付けされる。
【００４６】
例えば、上部ユニット２３には、レンズ枠３３の取り付け前に、各種部品が組み付けられて完成した下部ユニット２４，シャッタユニット２５が組み付けられており、レンズ枠３３が仮固定された状態でレンズ装置５の組み立てがほぼ完了した状態となる。
【００４７】
レンズ枠３３を仮固定した後、レンズ装置５は、偏芯調整工程に送られる。そして、偏芯調整工程では、調整対象となるレンズ装置５を通して、例えば所定のテストチャートをＣＣＤイメージセンサ１８で撮影し、その撮影中の画像された観察しながら物体側レンズ２７ａの光軸と直交する面上でレンズ枠３３を移動させることで物体側レンズ２７ａを移動して、最良の画像が得られる位置を決定する。
【００４８】
最良の画像が得られるレンズ枠３３の位置決定後、レンズ枠３３の仮接着が行なわれる。所定の位置に接着剤を自動充填する充填機は、仮接着用のノズルを前面側からレンズ枠３３の近傍まで移動させ、プリズム保持枠３４の取付面６４に設けられた凹部６５ｃ，６５ｄ内に、第１の接着剤である仮接着用接着剤８０の本剤を充填する。この本剤の充填時にレンズ枠３３のズレが発生しなかった場合には硬化剤が充填され、接着剤８０が硬化される。
【００４９】
次に、充填機は、本接着用のノズルをレンズ装置５の側方からプリズム保持枠３４の近傍まで移動させ、切欠６５ｅ，６５ｆを利用して第２の接着剤である、本接着用接着剤８２をフランジ３３ｂとプリズム保持枠３４との間に充填する。この充填時にレンズ枠３３のズレが発生しなかった場合には、充填部分に紫外線が照射され、接着剤８２が硬化される。
【００５０】
以上のようにして、レンズ装置５が完成する。完成したレンズ装置５は、デジタルカメラ２の製造工程に送られ、デジタルカメラ２の内部に組み付けられる。そして、物体側レンズ２７ａが撮影開口４から露呈される。レンズ装置５は、レンズ枠３３の取付に大きなスペースを必要としないため、小型であり、デジタルカメラ２の薄型化に寄与することができる。
【００５１】
上記実施形態では、プリズムを用いてレンズ装置の光路を屈曲させているが、他の部材、例えばミラーを用いて光路を屈曲してもよい。また、光路を屈曲した屈曲光学系でなくても本発明を利用することができる。また、本実施形態ではデジタルカメラへ適用した場合について説明したが、本発明は、デジタルカメラへの適用に限定されるものではなく、銀塩フイルムを使用するカメラや、プロジェクタ等の各種光学装置のレンズ装置にも適用することができる。
【００５２】
また、上記実施形態は、仮接着と本接着とによってレンズ枠を固着するようにしたが、本接着だけでレンズ枠を固着してもよい。この場合には、レンズ枠を仮取付けする板バネの挟持部分に本接着用の接着剤を充填してもよいし、レンズ枠の側面側から接着剤を充填してもよい。
【図面の簡単な説明】
【００５３】
【図１】本発明を実施したデジタルカメラを正面側から見た外観形状を示す斜視図である。
【図２】デジタルカメラを背面側から見た外観形状を示す斜視図である。
【図３】デジタルカメラの電気的構成を示すブロック図である。
【図４】レンズ装置の外観形状を示す正面側斜視図である。
【図５】レンズ装置の光路を示す断面図である。
【図６】上部鏡筒への物体側レンズの取付構造を示す分解斜視図である。
【図７】物体側レンズの取付状態を示す上部ユニットの正面図である。
【図８】上部ユニットの背面側斜視図である。
【図９】物体側レンズの取付構造を示す断面図である。
【図１０】レンズ枠の接着位置を示す上部鏡筒の正面側斜視図である。
【図１１】本接着によるレンズ枠の固着状態を示す断面図である。
【符号の説明】
【００５４】
２  デジタルカメラ
５  レンズ装置
１８  ＣＣＤイメージセンサ
２３  上部ユニット
２４  下部ユニット
２４ａ  物体側レンズ
２６  上部鏡筒
３２  下部鏡筒
３３  レンズ枠
３３ｅ，３３ｆ  被挟持部
３４  プリズム保持枠
３６  プリズム
６８  第１板バネ
６９  第２板バネ
８０  仮接着用接着剤
８２  本接着用接着剤
【図１】
2006215443.tif 000003
【図２】
2006215443.tif 000004
【図３】
2006215443.tif 000005
【図４】
2006215443.tif 000006
【図５】
2006215443.tif 000007
【図６】
2006215443.tif 000008
【図７】
2006215443.tif 000009
【図８】
2006215443.tif 000010
【図９】
2006215443.tif 000011
【図１０】
2006215443.tif 000012
【図１１】
2006215443.tif 000013